(57)【特許請求の範囲】
【請求項１】
伝送フォーマットの少なくとも一部が異なる少なくとも２つ以上の種類の移動端末及び移動端末位置通知装置を有する位置情報通知システムにおいて、
前記位置情報通知装置は、
基地局に接続されたネットワークとのアクセスを制御する入力アクセスサーバと、
前記移動端末に対して、前記入力アクセスサーバを介して、位置取得のコマンドを発行し、前記移動端末からの受信状態情報の取得を行う入力制御装置と、
前記移動端末の伝送フォマットの違いによる種別が記憶されている記憶装置と、
クライアントからの位置情報要求を受け、要求を受けた移動端末の位置情報を返す出力制御装置とを有し、
前記出力制御装置は、クライアントからの位置情報要求を受けたとき、前記記憶装置に記憶されている前記移動端末の種別に対応して入力制御装置にアクセスし、
前記入力制御装置は、入力アクセスサーバからの前記受信状態情報に基づいて、移動端末の位置及び移動端末の種別を前記移動端末記憶領域に記録することを特徴とする位置情報通知システム。
【請求項２】
クライアントの要求に対して、特定移動端末の位置情報を返す位置情報通知装置において、
前記移動端末に対して、前記入力アクセスサーバを介して、位置取得のコマンドを発行し、前記移動端末からの受信状態情報の取得を行う入力制御装置と、
前記移動端末の種別が記憶されている記憶装置と、
クライアントからの位置情報要求を受け、要求を受けた移動端末の位置情報を返す出力制御装置とを有し、
前記出力制御装置は、クライアントからの位置情報要求を受けたとき、前記記憶装置に記憶されている前記移動端末の種別に対応して入力制御装置にアクセスし、
前記入力制御装置は、入力アクセスサーバからの前記受信状態情報に基づいて、移動端末の位置及び移動端末の種別を前記移動端末記憶領域に記録することを特徴とする位置情報通知装置であって、
前記入力制御装置は、移動端末の種別に対応した伝送フォーマットで送信できないとの情報が付加された受信状態情報を入力アクセスサーバから受信したときは、移動端末の種別を前記移動端末記憶領域に記録しないことを特徴とする位置情報通知装置。
【請求項３】
請求項２記載の位置情報通知装置において、
前記入力制御装置は、移動端末の種別に対応して複数設け、
入力制御装置の一つは、移動端末の全種別に対応していることを特徴とする位置情報通知装置。
【請求項４】
請求項２記載の位置情報通知装置において、
前記入力アクセスサーバは、受信した移動端末からの受信状態情報に基づいて、該受信状態情報を、移動端末の種別に対応した入力制御装置に送信することを特徴とする位置情報通知装置。
【請求項５】
請求項２記載の位置情報通知装置において、  
前記入力アクセスサーバは、端末種別が不明な移動端末に対する位置取得のコマンドを、全種別の端末が対応可能な伝送フォーマットを用いて発行することを特徴とする位置情報通知装置。
【発明の詳細な説明】
【０００１】
【発明の属する技術分野】
本発明は、位置情報通知システム及び位置情報通知装置に関する。
【０００２】
【従来の技術】
クライアントに対して、特定移動端末の位置情報を通知するサービスが提供されている。
【０００３】
このサービスにおいて、クライアントから、特定端末に対する位置情報要求があった場合、位置情報通知センターは、特定端末の位置を検索し、クライアントに通知する。
【０００４】
位置情報通知センターは、クライアントから、移動端末の位置情報要求のコマンドを受けると、ネットワーク上に設けた記憶装置にアクセスし、この記憶装置に記憶されている移動端末の位置情報を検索して、その結果をクライアントに出力していた。
【０００５】
なお、従来の位置情報通知センターは、アクセスサーバ、入力制御装置、記憶装置及び出力制御装置を有する。
【０００６】
アクセスサーバは、移動端末に対して位置取得のコマンドを発行し、移動端末からの受信状態情報を取得するサーバである。
【０００７】
入力制御装置は、人力アクセスサーバと該入力アクセスサーバが取得した移動端末からの受信状態情報及び記憶装置の基地局記億領域に蓄積されている基地局の情報（位置、送信出力、アンテナ高）から該移動端末の位置推定を行い、移動端末の位置を記憶装置の移動端末記憶領域に記録する装置である。
【０００８】
記憶装置は、基地局の情報（位置、送信出力、アンテナ高）と移動端末の位置情報を記憶する装置である。
【０００９】
出力制御装置は、クライアントからの位置情報要求や定期位置取得要求を受付け、該要求に応じて入力制御装置に位置取得要求や定期位置取得要求を行い、記憶装置から移動端末の位置情報を検索し、さらにクライアントに対して移動端末の位置情報を出力する装置である。
【００１０】
【発明が解決しようとする課題】
ところで、従来のものは、移動端末の種別が異なり、移動端末からの受信状態情報の伝送フォーマットが異なる場合、それぞれ別の位置情報通知センターを設置する必要があり、そのため全体の装置コストが高くなるという問題がある。
【００１１】
また、クライアントが、複数の端末の位置を同時に必要とする場合、クライアントは、端末の種別毎にアクセス先（位置情報通知センター）を変える必要があり、煩雑であるという問題がある。
【００１２】
また、複数の入力制御装置を具備し、複数の伝送フオーマットに対応可能な位置情報システムであっても、入力制御装置を選択する上で端末種別情報を、顧客情報管理を行うサーバから取得する必要があり、端末種別情報を取得するまでの間又は端末種別の切換時、その端末に関してサービスすることができないという問題がある。
【００１３】
本発明は、上記問題に鑑みなされたものであり、端末種別を自動的に取得可能として端末種別の切替え時でもサービスが提供でき、また、クライアントは端末種別に応じてセンターを変更する必要がなく、ミニマムな構成が可能な位置情報通知システム及び位置情報通知装置を提供することを目的とするものである。
【００１４】
【課題を解決するための手段】
上記課題を解決するために、本件発明は、以下の特徴を有する課題を解決するための手段を採用している。
【００１５】
請求項１に記載された発明は、移動端末及び移動端末位置通知装置を有する位置情報通知システムにおいて、前記位置情報通知装置は、前記移動端末に対して位置取得のコマンドを発行し、前記移動端末からの受信状態情報の取得を行う入力アクセスサーバと、移動端末記憶領域を有する記憶装置と、前記入力アクセスサーバからの前記受信状態情報に基づいて、移動端末の位置及び移動端末の種別を前記移動端末記憶領域に記録する入力制御装置とを有し、前記入力アクセスサーバは、前記移動端末の種別情報に基づいて、前記移動端末に対して位置取得のコマンドを発行すると共に、クライアントからの位置情報要求を受け、要求を受けた移動端末の位置情報を返す出力制御装置とを有することを特徴とする。
【００１６】
請求項２に記載された発明は、クライアントからの位置情報要求を受け、要求を受けた移動端末の位置情報を返す位置情報通知方法において、前記移動端末に対して位置取得のコマンドを発行し、前記移動端末からの受信状態情報を取得するステップと、前記受信状態情報に基づいて、移動端末の位置及び移動端末の種別を、記憶装置の移動端末記憶領域に記録するステップと、要求を受けた移動端末の位置情報を、前記記憶装置の移動端末記憶領域を読取り、その結果を前記クライアントに返すステップとを有することを特徴とする。
【００１７】
請求項３に記載された発明は、クライアントの要求に対して、特定移動端末の位置情報を返す位置情報通知装置において、前記移動端末に対し、該移動端末の種別に応じて、位置取得のコマンドを発行し、前記移動端末からの受信状態情報の取得を行う入力アクセスサーバと、移動端末記憶領域を有する記憶装置と、前記入力アクセスサーバが受信した移動端末からの受信状態情報に基づいて、該移動端末の種別を前記移動端末記憶領域に記録する入力制御装置とを有し、前記入力アクセスサーバは、前記移動端末の種別情報に基づいて、前記移動端末に対して位置取得のコマンドを発行することを特徴とする。
【００１８】
請求項５に記載された発明は、請求項３記載の位置情報通知装置において、前記入力アクセスサーバは、受信した移動端末からの受信状態情報に基づいて、該受信状態情報を、移動端末の種別に対応した入力制御装置に送信することを特徴とする。
【００１９】
請求項６に記載された発明は、請求項５記載の位置情報通知装置において、前記入力制御装置は、移動端末の種別に対応した伝送フォーマットで送信できないとの情報が付加された受信状態情報を入力アクセスサーバから受信したときは、移動端末の種別を前記移動端末記憶領域に記録しないことを特徴とする。
【００２０】
請求項７に記載された発明は、請求項３記載の位置情報通知装置において、前記入力アクセスサーバは、端末種別が不明な移動端末に対する位置取得のコマンドを、全端末の種別が対応可能な伝送フォーマットを用いて発行することを特徴とする。
【００２１】
【発明の実施の形態】
次に、本発明の実施の形態について図面と共に説明する。
【００２２】
実施例を位置情報サービスシステムにあてはめた例により説明する。
【００２３】
図１は、移動端末（ＰＳ１、ＰＳ２）１０１、１０２、基地局（ＣＳ）１１１、１１２、入力アクセスサーバ（１、２）１２１、１２２、入力制御装置（１，２）１３１、１３２、記憶装置１４１、１４２、出力制御装置１６、ユーザ機器１７、ネットワーク２０、２１及びＬＡＮ２２から構成されている。
【００２４】
なお、入力アクセスサーバ（１、２）１２１、１２２、入力制御装置（１，２）１３１、１３２、記憶装置１４１、１４２、出力制御装置１６、及びＬＡＮ２２は、位置情報通知装置９を構成している。
【００２５】
なお、上記位置情報通知装置９は、この構成に限られず、一部の装置を外部に設けても良い。
【００２６】
また、記憶装置１４は、基地局情報記憶領域３１と移動端末記憶領域３２を有し、移動端末記憶領域３２には、端末種別情報３３及び位置情報３４などが記憶されている。
【００２７】
また、記憶装置１４１は、現用の記憶装置であり、記憶装置１４２は予備の記憶装置である。
【００２８】
出力制御装置１６は、アクセスサーバ１５と制御装置３５とを有し、ユーザ機器は、クライアント装置３６から構成されている。
【００２９】
入力アクセスサーバ（１、２）１２１、１２２、入力制御装置（１，２）１３１、１３２、記憶装置１４１、１４２及び出力制御装置１６は、ＬＡＮ（Ｌｏｃａｌ  Ａｒｅａ  Ｎｅｔｗｏｒｋ）２２で接続されている。
【００３０】
入力アクセスサーバ（１、２）１２１、１２２は、ネットワーク２０とのアクセスを制御し、アクセスサーバ１５は、ネットワーク２１とのアクセスを制御する。
【００３１】
移動端末（ＰＳ１、ＰＳ２）１０１、１０２は、その位置情報を扱う上で情報源であり情報機器端末となる。
【００３２】
ここでは、説明上、移動端末（ＰＳ１）１０１を旧型端末とし、移動端末（ＰＳ２）１０２を新型端末として説明する。
【００３３】
旧型の移動端末（ＰＳ１）１０１は、サブアドレス情報を用いて位置取得コマンドと受信状態情報を送受していたが、サブアドレスでは伝送可能な情報量が少ないため、新型の移動端末（ＰＳ２）１０２では、新アルゴリズムを搭載した。具体的には、新型の移動端末（ＰＳ２）１０２では、ＵＵＩ（Ｕｓｅｒ  Ｕｓｅｒ  Ｉｎｆｏｒｍａｔｉｏｎ）情報が用いられている。
【００３４】
また、入力制御装置１（１３１）は、旧型の移動端末（ＰＳ１）１０１と対応した装置で、サブアドレスの情報が処理可能である。
【００３５】
一方、入力制御装置２（１３２）には、新アルゴリズムを搭載し、更に、旧型の移動端末（ＰＳ１）１０１にも対応している。入力制御装置２（１３２）は、サブアドレスのコマンド及びＵＵＩのコマンドを同時に送出できる。
【００３６】
本システムは、クライアント装置３６から、移動端末１０１、１０２の位置情報要求のコマンドを受けると、出力制御装置１６は、記憶装置１４１にアクセスし、この記憶装置１４１の移動端末記憶領域３２に記憶されている移動端末の位置情報３４を検索して、その結果をクライアント装置１７に出力する。
【００３７】
端末種別の判明している移動端末に対して、クライアント装置３６から、移動端末１０の位置情報要求のコマンドを受けた場合を説明する。
【００３８】
出力制御装置１６は、移動端末１０のＩＤにより、記憶装置１４１を検索して、端末１０１の端末種別を検出する。この場合、端末１０１の種別は、旧型であるので、旧型に対応する入力制御装置１３１にアクセスする。入力制御装置１３１は、サブアドレス情報を用い、入力アクセスサーバ（１、２）１２１、１２２及び基地局（ＣＳ）１１１、１１２を介して、移動端末１０１に位置取得のコマンドを送出する。移動端末１０１は、位置取得のコマンドを受信すると、サブアドレス情報を用いて、その受信状態（基地局ＩＤ、受信レベル、受信回数）情報を、基地局（ＣＳ）１１１、１１２を介して、入力アクセスサーバ（１、２）１２１、１２２、に伝送する。入力アクセスサーバ（１、２）１２１、１２２では、サブアドレスにより受信状態情報を送出していることから、旧型の移動端末からの信号であると判断して、受信した受信状態情報を、旧型の移動端末に対応する入力制御装置１３１に伝送する。
【００３９】
入力制御装置１３１では、移動端末からの受信状態情報及び記憶装置１４１の基地局記億領域３１に蓄積されている基地局の情報（位置、送信出力、アンテナ高さ）から移動端末の位置推定を行い、移動端末の位置を記憶装置１４１の移動端末記憶領域３２に位置情報を記録する。
【００４０】
同時に、入力制御装置１３１は、移動端末の端末種別情報を、移動端末記憶領域３２に記録する。
【００４１】
出力制御装置１６は、その後、記憶装置１４１における移動端末記憶領域３２の位置情報を、移動端末のＩＤをキーにして検索して、特定の移動端末の位置情報を読みだす。この情報をクライアント装置１７に出力する。
【００４２】
新型の移動端末（ＰＳ２）１０２に対しても同様に、特定の移動端末の位置を読みだして、クライアント装置１７に出力する。
【００４３】
次に、端末種別の判明していない移動端末に対して、クライアント装置３６から、移動端末１０の位置情報要求のコマンドを受けた場合を説明する。
【００４４】
出力制御装置１６は、移動端末１０のＩＤにより、記憶装置１４１を検索して、端末１０１の端末種別を検出する。この場合、端末１０１の種別は、記憶されておらず不明である。
【００４５】
この場合、新旧の端末種別に対応する入力御装置１３２にアクセスする。入力制御装置１３２は、サブアドレス情報とＵＵＩを用いて、入力アクセスサーバ（１、２）１２１、１２２及び基地局（ＣＳ）１１１、１１２を介して、移動端末１０１に、サブアドレスとＵＵＩの両方で位置取得コマンドを送出する。
【００４６】
移動端末１０１は、旧型であるので、ＵＵＩでのコマンドを破棄し、サブアドレスによるコマンドで、基地局の電波受信を開始し、結果を受信状態情報としてサブアドレスでアクセスサーバ（１、２）１２１、１２２に返す。
【００４７】
入力アクセスサーバ（１、２）１２１、１２２では、サブアドレスにより受信状態情報を送出していることから、旧型の移動端末からの信号であると判断して、受信した受信状態情報を、旧型の移動端末に対応する入力制御装置１３１に伝送する。
【００４８】
入力制御装置１３１では、移動端末からの受信状態情報及び記憶装置１４１の基地局記億領域３１に蓄積されている基地局の情報から移動端末の位置推定を行い、移動端末の位置を記憶装置１４１の移動端末記憶領域３２に位置情報を記録する。
【００４９】
同時に、入力制御装置１３１は、移動端末の端末種別情報を、移動端末記憶領域３２に記録する。
【００５０】
出力制御装置は、その後、記憶装置１４１における移動端末記憶領域３２の位置情報を、移動端末のＩＤをキーにして検索して、所定の移動端末の位置情報を読みだす。この位置情報をクライアント装置１７に出力する。
【００５１】
新型の移動端末（ＰＳ２）１０２に対しても同様に、入力制御装置１３２は、移動端末の端末種別情報を、移動端末記憶領域３２に記録する。
【００５２】
なお、移動端末記憶領域３２に移動端末の端末種別が記憶されたので、次回からは、この端末種別情報を用いて移動端末の位置情報を得ることができる。
【００５３】
従って、本件発明の実施の形態によれば、位置情報要求を受けた移動端末の種別が不明でも、独自に、かつ、自動的に、端末の位置情報を取得することができる。
【００５４】
これにより、端末の種別が不明のため、位置情報サービスを行うことができないという問題は解消される。
【００５５】
次に、移動端末が準公衆（オフイスアンテナモードや、ホームアンテナなど）環境下のＵＵＩ情報に対応していないネットワークを介して位置情報通知装置に接続する場合を説明する。
【００５６】
移動端末が準公衆のネットワークを介して位置情報通知装置に接続する場合は、ＵＵＩ情報は破棄されてしまう。そこで、新型の移動端末（ＰＳ２）１０２であっても、ＵＵＩを用いずに、サブアドレスでのコマンドで基地局の電波受信を開始し、結果を受信状態情報としてサブアドレスで位置情報通知装置に返す。
【００５７】
この際に付随情報として準公衆であることを示す。サブアドレス情報によって伝送された受信状態情報を入力アクセスサーバ（１、２）１２１、１２２が受信すると、該入力アクセスサーバ（１、２）１２１、１２２は、入力制御装置１３１に受信状態情報を伝達する。入力制御装置１３１は、付随情報が存在する場合、当該移動端末の端末種別を旧型であるとは認識せず情報の更新は見送る。
【００５８】
図２〜図１３を用いて、移動端末、アクセスサーバ、入力制御装置１、入力制御装置２、記憶装置及び出力制御装置間の信号の授受を説明する。
【００５９】
図２は、旧型端末に対しての位置要求が行われた場合である。また、移動端末は、旧型として移動端末記憶領域に記憶されており、移動端末は公衆エリア内に存在している場合である。
【００６０】
出力制御装置は、移動端末のＩＤにより、記憶装置を検索して（Ｓ１０）、端末の端末種別を取得する（Ｓ１１）。この場合、端末の種別は、旧型であるので、旧型に対応する入力制御装置１にアクセスする（Ｓ１２）。入力制御装置１は、アクセスサーバに、移動端末の位置情報要求コマンドを発行する（Ｓ１３）。同様に、アクセスサーバは、サブアドレスで移動端末に位置情報要求コマンドを発行する（Ｓ１４）。移動端末は、位置情報要求コマンドを受信すると、サブアドレスで、その受信状態（基地局ＩＤ、受信レベル、受信回数）情報をアクセスサーバに送出する（Ｓ１５）。アクセスサーバでは、サブアドレスにより受信状態情報を送出していることから、旧型の移動端末からの信号であると判断して、受信したサブアドレスの受信状態情報を、旧型の移動端末に対応する入力制御装置１に送信する（Ｓ１６）。
【００６１】
入力制御装置１では、移動端末からの受信状態情報及び記憶装置の基地局記億領域３１に蓄積されている基地局の情報（公衆基地局）を取得し（Ｓ１７）、この基地局情報から移動端末の位置推定を行い（Ｓ１８）、当該移動端末の位置を記憶装置の移動端末記憶領域に位置情報として記録する（Ｓ１９）。また、入力制御装置１からの信号であり（Ｓ２０）、位置推定結果は、準公衆でない（正常）ので（Ｓ２１）、記憶装置の移動端末記憶領域に旧型端末と記録する（Ｓ２２）。
【００６２】
図３は、旧型端末に対しての位置要求が行われた場合である。また、移動端末は、旧型として移動端末記憶領域に記憶されており、移動端末は準公衆エリア内に存在している場合である。
【００６３】
図２とは、基地局記億領域に蓄積されている基地局の情報（準公衆基地局）から移動端末の位置推定を行い、移動端末の位置を記憶装置の移動端末記憶領域に位置情報として記録する点、及び、基地局が準公衆なので、記憶装置の移動端末記憶領域の記憶を書き替えず保持する点で異なる。
【００６４】
その他の点は、図２と同じであるので、説明を省略する。
【００６５】
図４は、旧型端末に対しての位置要求が行われた場合である。また、移動端末は、新型として移動端末記憶領域に記憶されており、移動端末は公衆エリア内に存在している場合である。
【００６６】
出力制御装置は、移動端末のＩＤにより、記憶装置を検索して（Ｓ３０）、端末の端末種別を取得する（Ｓ３１）。この場合、端末の種別は、新型であるので、新型に対応する入力制御装置２にアクセスする（Ｓ３２）。入力制御装置２は、サブアドレス及びＵＵＩで、アクセスサーバに、移動端末の位置情報要求コマンドを発行する（Ｓ３３）。アクセスサーバは、サブアドレス及びＵＵＩで、移動端末に位置情報要求コマンドを発行する（Ｓ３４）。移動端末は、位置情報要求コマンドを受信すると、旧型であるのでサブアドレスで、その受信状態情報をアクセスサーバに伝送する（Ｓ３５）。アクセスサーバでは、サブアドレスにより受信状態情報を送出していることから、旧型の移動端末からの信号であると判断して、受信した受信状態情報を、旧型の移動端末に対応する入力制御装置１に伝送する（Ｓ３６）。
【００６７】
以下は、図２と同じである。
【００６８】
図５は、旧型端末に対しての位置要求が行われた場合である。また、移動端末は、新型として移動端末記憶領域に記憶されており、移動端末は準公衆エリア内に存在している場合である。
【００６９】
図４とは、基地局記億領域に蓄積されている基地局の情報（準公衆基地局）から移動端末の位置推定を行い、移動端末の位置を記憶装置の移動端末記憶領域に位置情報として記録する点、及び、基地局が準公衆なので、記憶装置の移動端末記憶領域の記憶を書き替えず保持する点で異なる。
【００７０】
その他の点は、図４と同じであるので、説明を省略する。
【００７１】
図６は、旧型端末に対しての位置要求が行われた場合である。また、移動端末は、端末種別が不明で、移動端末は公衆エリア内に存在している場合である。
【００７２】
出力制御装置は、移動端末のＩＤにより、記憶装置を検索して（Ｓ４０）、端末の端末種別を取得する（Ｓ４１）。この場合、端末の種別は、不明であるので、入力制御装置２にアクセスする（Ｓ４２）。入力制御装置２は、アクセスサーバに、移動端末の位置情報要求コマンドを発行する（Ｓ４３）。また、アクセスサーバは、サブアドレス及びＵＵＩで、移動端末に位置情報要求コマンドを発行する（Ｓ４４）。
【００７３】
移動端末は、位置情報要求コマンドを受信すると、旧型端末であるので、ＵＵＩでのコマンドを破棄し、サブアドレスによるコマンドで、基地局の電波受信を開始し、結果を受信状態情報としてサブアドレスでアクセスサーバに返す（Ｓ４５）。アクセスサーバでは、サブアドレスにより受信状態情報を送出していることから、旧型の移動端末からの信号であると判断して、受信した受信状態情報を、旧型の移動端末に対応する入力制御装置１に伝送する（Ｓ４６）。
【００７４】
以下は、図２と同じである。
【００７５】
図７は、旧型端末に対しての位置要求が行われた場合である。また、移動端末は、端末種別が不明で、移動端末は準公衆エリア内に存在している場合である。
【００７６】
図６とは、基地局記億領域に蓄積されている基地局の情報（準公衆基地局）から移動端末の位置推定を行い、移動端末の位置を記憶装置の移動端末記憶領域に位置情報として記録する点、及び、基地局が準公衆なので、記憶装置の移動端末記憶領域の記憶を書き替えず保持する点で異なる。
【００７７】
その他の点は、図６と同じであるので、説明を省略する。
【００７８】
図８〜図１３は、新型端末に対しての位置要求が行われた場合である。これは、旧型端末に対しての位置要求が行われた場合の、図２〜図７に対応しており、新旧が異なるだけで、旧端末に対しての位置要求の説明に準ずるので、説明は省略する。
【００７９】
【発明の効果】
上述の如く本発明によれば、端末種別を自動的に取得可能として端末種別の切替え時でもサービスが提供でき、また、クライアントは端末種別に応じてセンターを変更する必要がなく、ミニマムな構成が可能な位置情報通知システム及び位置情報通知装置を提供することができる。
【図面の簡単な説明】
【図１】本発明の構成例を説明するための図である。
【図２】旧型端末に対しての位置要求が行われた場合で、移動端末は、旧型として移動端末記憶領域に記憶されており、移動端末は公衆エリア内に存在している場合のフロー図である。
【図３】旧型端末に対しての位置要求が行われた場合で、移動端末は、旧型として移動端末記憶領域に記憶されており、移動端末は準公衆エリア内に存在している場合のフロー図である。
【図４】旧型端末に対しての位置要求が行われた場合で、移動端末は、新型として移動端末記憶領域に記憶されており、移動端末は公衆エリア内に存在している場合のフロー図である。
【図５】旧型端末に対しての位置要求が行われた場合で、移動端末は、新型として移動端末記憶領域に記憶されており、移動端末は準公衆エリア内に存在している場合のフロー図である。
【図６】旧型端末に対しての位置要求が行われた場合で、移動端末の端末種別が不明で、移動端末は公衆エリア内に存在している場合のフロー図である。
【図７】旧型端末に対しての位置要求が行われた場合で、移動端末の端末種別が不明で、移動端末は準公衆エリア内に存在している場合のフロー図である。
【図８】新型端末に対しての位置要求が行われた場合で、移動端末は、旧型として移動端末記憶領域に記憶されており、移動端末は公衆エリア内に存在している場合のフロー図である。
【図９】新型端末に対しての位置要求が行われた場合で、移動端末は、旧型として移動端末記憶領域に記憶されており、移動端末は準公衆エリア内に存在している場合のフロー図である。
【図１０】新型端末に対しての位置要求が行われた場合で、移動端末は、新型として移動端末記憶領域に記憶されており、移動端末は公衆エリア内に存在している場合のフロー図である。
【図１１】新型端末に対しての位置要求が行われた場合で、移動端末は、新型として移動端末記憶領域に記憶されており、移動端末は準公衆エリア内に存在している場合のフロー図である。
【図１２】新型端末に対しての位置要求が行われた場合で、移動端末の端末種別が不明で、移動端末は公衆エリア内に存在している場合のフロー図である。
【図１３】新型端末に対しての位置要求が行われた場合で、移動端末の端末種別が不明で、移動端末は準公衆エリア内に存在している場合のフロー図である。
【符号の説明】
１０    移動端末（ＰＳ１、ＰＳ２）
１１    基地局（ＣＳ）
１２    入力アクセスサーバ（１、２）
１３    入力制御装置（１，２）
１４    記憶装置
１５    アクセスサーバ
１６    出力制御装置
１７    ユーザ機器
２０、２１    ネットワーク
２２    ＬＡＮ
３１    基地局情報記憶領域
３２    移動端末記憶領域
３３    端末種別情報
３４    位置情報
【図１】
0003739625.tif 000002
【図２】
0003739625.tif 000003
【図３】
0003739625.tif 000004
【図４】
0003739625.tif 000005
【図５】
0003739625.tif 000006
【図６】
0003739625.tif 000007
【図７】
0003739625.tif 000008
【図８】
0003739625.tif 000009
【図９】
0003739625.tif 000010
【図１０】
0003739625.tif 000011
【図１１】
0003739625.tif 000012
【図１２】
0003739625.tif 000013
【図１３】
0003739625.tif 000014